(57)【要約】【課題】電源投入を契機として、コネクタインタフェースの接続状態の全てを自律的に診断可能にする。【解決手段】コネクタインタフェースＣＩＦを診断対象とする接続状態診断装置は、第１の基盤１への電源投入を契機として、複数の第１の運用信号線１Ａ−１Ｄのそれぞれに診断電位信号を自律的に出力する手段１３と、コネクタインタフェースを通して複数の第２の運用信号線２Ａ−２Ｄにそれぞれ伝送される診断電位信号を全て受信したときは、コネクタインタフェースの正常接続状態を示す第１の状態監視信号を出力する手段２０と、第１の状態監視信号が受信されたときは、複数の第１の運用信号線への診断電位信号の出力を停止制御して、自律的に診断モードから運用モードに切替設定し、異常接続状態を示す第２の状態監視信号が受信されたときは、複数の第１の運用信号線への診断電位信号の出力を維持制御する手段１４とを備える。【選択図】図１
2010055384.tif 000002
【特許請求の範囲】
【請求項１】
運用信号を伝送するための複数の第１の運用信号線を配線した第１の基盤と、前記運用信号を伝送するための複数の第２の運用信号線を配線した第２の基盤とを接続するコネクタインタフェースを診断対象とする接続状態診断装置であって；
前記第１の基盤１への電源投入を契機として、前記複数の第１の運用信号線のそれぞれに診断電位信号を自律的に出力する手段と；
前記コネクタインタフェースを通して前記複数の第２の運用信号線にそれぞれ伝送される前記診断電位信号を全て受信したときは、前記コネクタインタフェースの正常接続状態を示す第１の状態監視信号を出力し、前記診断電位信号の少なくとも１つを受信しないときは、前記コネクタインタフェースの異常接続状態を示す第２の状態監視信号を出力する手段と；
前記第１の状態監視信号及び前記第２の状態監視信号のいずれかを受信する手段と；
前記第１の状態監視信号が受信されたときは、前記複数の第１の運用信号線への前記診断電位信号の出力を停止制御して、自律的に診断モードから運用モードに切替設定し、前記第２の状態監視信号が受信されたときは、前記複数の第１の運用信号線への前記診断電位信号の出力を維持制御する手段と；
を備える接続状態診断装置。
【請求項２】
前記第１の状態監視信号及び前記第２の状態監視信号は前記コネクタインタフェースを通して伝送され、前記第１の状態監視信号及び前記第２の状態監視信号のいずれも受信されないときは、前記複数の第１の運用信号線への前記診断電位信号の出力が維持制御される請求項１記載の接続状態診断装置。
【請求項３】
前記第１の運用信号線及び前記第２の運用信号線は、前記第１の基盤から前記第２の基盤に向かう前記運用信号を一方向に伝送する請求項１記載の接続状態診断装置。
【請求項４】
前記第１の運用信号線及び前記第２の運用信号線は、前記第１の基盤及び前記第２の基盤間の前記運用信号を双方向に伝送する請求項１記載の接続状態診断装置。
【請求項５】
前記第２の基盤への電源投入を契機として、前記複数の第２の運用信号線の全てを自律的に断線状態とし、ユーザ回路側の前記複数の第２の運用信号線を予め定めた電位にプルアップまたはプルダウンして前記診断モードに設定する手段と；
前記第１の状態監視信号を受信したときは、前記第２の運用信号線の前記断線状態を解除制御して、自律的に前記診断モードから前記運用モードに切替設定し、前記第２の状態監視信号を受信したときは、前記診断モードの設定を維持制御する手段と；
を更に備える請求項１または４記載の接続状態診断装置。
【請求項６】
運用信号を伝送するための複数の第１の運用信号線を配線した第１の基盤と、前記運用信号を伝送するための複数の第２の運用信号線を配線した第２の基盤とを接続するコネクタインタフェースを診断対象とする接続状態診断装置が、
前記第１の基盤１への電源投入を契機として、前記複数の第１の運用信号線のそれぞれに診断電位信号を自律的に出力するステップと；
前記コネクタインタフェースを通して前記複数の第２の運用信号線にそれぞれ伝送される前記診断電位信号を全て受信したときは、前記コネクタインタフェースの正常接続状態を示す第１の状態監視信号を出力し、前記診断電位信号の少なくとも１つを受信しないときは、前記コネクタインタフェースの異常接続状態を示す第２の状態監視信号を出力するステップと；
前記第１の状態監視信号及び前記第２の状態監視信号のいずれかを受信するステップと；
前記第１の状態監視信号が受信されたときは、前記複数の第１の運用信号線への前記診断電位信号の出力を停止制御して、自律的に診断モードから運用モードに切替設定し、前記第２の状態監視信号が受信されたときは、前記複数の第１の運用信号線への前記診断電位信号の出力を維持制御するステップと；
を実行する接続状態診断方法。
【発明の詳細な説明】
【技術分野】
【０００１】
本発明は、電源投入を契機として、コネクタインタフェースの接続状態を自律的に診断する接続状態診断装置に関する。
【背景技術】
【０００２】
複数の信号線を回路構成基板にそれぞれ配線した第１の基盤及び第２の基盤間をコネクタ及びケーブルの双方、またはコネクタを介して接続するコネクタインタフェースによる装置が、情報処理装置及び通信装置などとして存在する。
【０００３】
このような装置においては、コネクタインタフェースの正常性、つまり人為的または物理的な問題によるコネクタの抜け及び接触不良やケーブルの断線等を診断する必要がある。
【０００４】
コネクタインタフェースの診断においては、コネクタの接触不良等を検出するために、パリティ信号線を特別に設ける技術がある。この診断技術では、運用状態におけるパリティ信号の監視に基づいて、コネクタインタフェースの正常性を初めて診断するので、運用信号を伝送する信号線の動作率が低いものが多い場合、稼動して長い時間が経過した後に、接触不良が検出されたり、接触不良が存在したまま運用される問題を免れない。
【０００５】
また、コネクタインタフェースの診断においては、コネクタの抜けを検出するために、予め定めたコネクタ端子に監視信号を伝送して、その信号電圧を監視することが採用されている。この診断技術では、特定のコネクタ端子の信号電圧を監視するので、コネクタ抜けは検出されるが、コネクタ端子の汚れ等による接触不良は検出されない。
【０００６】
さらに、特開平１１−３３８５９４号公報（特許文献１）においては、別のコネクタインタフェース診断技術として、接触不良検出回路が提案されている。この接触不良検出回路においては、マスタ（マザーボード）側及びスレーブ（ドータボード）側の双方に診断開始の契機となる同一制御信号が送信されることによって、診断を開始し、予め定められた診断パタンをマスタ側から一定間隔で送信し、スレーブ側で予め定められた期待パタンとの照合を行い、かつ予め定められた時間でコネクタインタフェースの診断・運用を切り替えることで、コネクタインタフェースの断線、接触不良、及びショートを検出している。
【０００７】
しかし、特許文献１記載の診断技術においては、コネクタインタフェース接続されたマスタ側及びスレーブ側の双方に特別な制御信号を入力して、診断開始の際に同期をとる必要があるので、制御信号が確実に双方に入力されていることが必須とされるだけでなく、診断を行う際は、予め双方が接続された状態を検知した上で診断制御開始を行う必要がある。また、診断結果に関わりなく、予め決められた時間でコネクタインタフェースの診断・運用の切り替えを行うので、接触不良等を検出してコネクタを挿し直した際に、再度診断のための制御が必要である。
【特許文献１】特開平１１−３３８５９４号公報
【発明の開示】
【発明が解決しようとする課題】
【０００８】
課題は、電源投入を契機として、コネクタインタフェースの接続状態の全てを自律的に診断可能にする技術を提供することにある。
【０００９】
他の課題は、コネクタインタフェースの正常接続状態を検出したときは、第１の基盤、または第１の基盤及び第２の基盤の双方を自律的に診断モードから運用モードに切替設定可能にする技術を提供することにある。
【課題を解決するための手段】
【００１０】
上記課題を解決するために、一実施の形態の接続状態診断装置は、運用信号を伝送するための複数の第１の運用信号線を配線した第１の基盤と、前記運用信号を伝送するための複数の第２の運用信号線を配線した第２の基盤とを接続するコネクタインタフェースを診断対象とする接続状態診断装置であって；前記第１の基盤１への電源投入を契機として、前記複数の第１の運用信号線のそれぞれに診断電位信号を自律的に出力する手段と；前記コネクタインタフェースを通して前記複数の第２の運用信号線にそれぞれ伝送される前記診断電位信号を全て受信したときは、前記コネクタインタフェースの正常接続状態を示す第１の状態監視信号を出力し、前記診断電位信号の少なくとも１つを受信しないときは、前記コネクタインタフェースの異常接続状態を示す第２の状態監視信号を出力する手段と；前記第１の状態監視信号及び前記第２の状態監視信号のいずれかを受信する手段と；前記第１の状態監視信号が受信されたときは、前記複数の第１の運用信号線への前記診断電位信号の出力を停止制御して、自律的に診断モードから運用モードに切替設定し、前記第２の状態監視信号が受信されたときは、前記複数の第１の運用信号線への前記診断電位信号の出力を維持制御する手段とを備える。
【００１１】
他の実施の形態の接続状態診断装置は、前記第２の基盤への電源投入を契機として、前記複数の第２の運用信号線の全てを自律的に断線状態とし、ユーザ回路側の前記複数の第２の運用信号線を予め定めた電位にプルアップまたはプルダウンして前記診断モードに設定する手段と；前記第１の状態監視信号を受信したときは、前記第２の運用信号線の前記断線状態を解除制御して、自律的に前記診断モードから前記運用モードに切替設定し、前記第２の状態監視信号を受信したときは、前記診断モードの設定を維持制御する手段とを更に備える。
【発明の効果】
【００１２】
開示した接続状態診断装置によれば、コネクタインタフェースの正常性、つまり最も多い原因と考えられる人為的または物理的な問題によるコネクタの抜け及び接触不良やケーブルの断線等を早期に診断することができる。
【００１３】
また、開示した接続状態診断装置によれば、コネクタインタフェースの正常接続状態を検出したときは、第１の基盤、または第１の基盤及び第２の基盤の双方を自律的に診断モードから運用モードに切替設定することができる。
【００１４】
他の課題、特徴及び利点は、図面及び特許請求の範囲とともに取り上げられる際に、以下に記載される発明を実施するための最良の形態を読むことにより明らかになるであろう。
【発明を実施するための最良の形態】
【００１５】
以下、添付図面を参照して、さらに詳細に説明する。図面には好ましい実施形態が示されている。しかし、多くの異なる形態で実施されることが可能であり、本明細書に記載される実施形態に限定されると解釈されてはならない。
【００１６】
［第１の実施の形態］
第１の実施の形態における装置構成を示す図１及び接続状態診断の手順を示す図２を併せ参照すると、この接続状態診断装置は、運用信号（ユーザ信号）を伝送するための複数の信号線（運用信号線）１Ａ，１Ｂ，１Ｃ，１Ｄ（ここでは、簡略して４本だけを図示）
を回路構成基板（例えば、印刷配線基板）に配線したマスタ側基盤（第１の基盤）１と、運用信号を伝送するための複数の信号線２Ａ，２Ｂ，２Ｃ，２Ｄを回路構成基板に配線したスレーブ側基盤（第２の基盤）２とをコネクタ３，４及びケーブル５の双方を介して接続する形態のコネクタインタフェースＣＩＦを診断対象とする。この接続状態診断装置はこのようなコネクタインタフェースＣＩＦを有する情報処理装置または通信装置などに診断機能部として組み込まれる。
【００１７】
各運用信号線１Ａ−１Ｄ，２Ａ−２Ｄには、運用信号の伝送方向を規定するバッファ回路が設けられている。図１に示すように、第１の実施の形態においては、運用信号線１Ａ−１Ｄ，２Ａ−２Ｄはマスタ側基盤１からスレーブ側基盤２に向かう運用信号をだけを伝送する。
【００１８】
なお、詳細の図示を省略しても、当業者であれば容易に理解できるように、このようなコネクタインタフェースＣＩＦは、例えば両端に一対の雌型コネクタが付設されたケーブル（以下、コネクタ付きケーブルと記載することもある）で実現される。また、このコネクタインタフェースＣＩＦを構成するために、マスタ側基盤１及びスレーブ側基盤２には、ケーブル両端の雌型コネクタと挿抜可能にそれぞれ結合する雄型コネクタが設けられている。さらに、コネクタインタフェースＣＩＦの変形構成としては、ケーブルを有しない雄型コネクタ及び雌型コネクタの直接結合を採ることも可能である。
【００１９】
この接続状態診断装置は、マスタ側基盤１に、診断・運用モード切替部１０と、接続監視回路１１と、チャタリング防止回路１２とを備える。スレーブ側基盤２には、接続監視回路２０を備える。また、コネクタインタフェースＣＩＦにおけるコネクタ３，４の対向する一対の接続端子（コネクタ端子）及びケーブルラインは、状態監視信号をスレーブ側基盤２からマスタ側基盤１に伝送するために使用される。
【００２０】
マスタ側基盤１におけるモード切替部１０は、スイッチング回路１３と、動作モード（診断モード及び運用モード）を保持しておくためのラッチ回路１４とから構成されている。ここでは、スイッチング回路１３は、スイッチ素子としてのリレーで構成しているが、セレクタ及び半導体スイッチなどの他のスイッチ素子で構成してもよい。
【００２１】
マスタ側基盤１への電源投入を契機として、モード切替部１０は診断モードに設定される。この診断モード設定のために、ラッチ回路１４は、初期値として診断状態に対応する第１の電位信号（論理レベル「１」）を保持して、スイッチング回路１３を動作状態にする。リレーで構成されるスイッチング回路１３が動作状態であるとき、ユーザ回路からの運用信号（ユーザ信号）を伝送するための複数の信号線１Ａ，１Ｂ，１Ｃ，１Ｄは、リレー接点を通して接地されている。したがって、診断モードにおいては、モード切替部１０は診断信号として通電監視信号（論理レベル「０」の第２の電位信号）をマスタ側基盤１からコネクタインタフェースＣＩＦを介してスレーブ側基盤２に対して出力する。
【００２２】
スレーブ側基盤２への電源投入後（マスタ側基盤１とは非同期でよい）、スレーブ側基盤２の接続監視回路２０は、コネクタインタフェースＣＩＦを介してマスタ側基盤１の複数の信号線１Ａ，１Ｂ，１Ｃ，１Ｄを正電位（通常、第１の電位に等しい）でそれぞれプルアップ（ｐｕｌｌ−ｕｐ）すると共に、スレーブ側基盤２の複数の信号線２Ａ，２Ｂ，２Ｃ，２Ｄを正電位でそれぞれプルアップする構成を採る。この構成により、接続監視回路２０は、マスタ側基盤１から通電状態（論理レベル「０」の第２の電位信号）が通知されない限りは、非通電状態（論理レベル「１」の第１の電位信号）を出力するので、全信号線１Ａ−１Ｄの通電状態を論理和（ＯＲ）回路２１で監視し、全てが通電状態（ａｌｌ「０」）の場合だけに、コネクタインタフェースＣＩＦの正常状態に対応する通電状態（「０」）の状態監視信号を出力（通知）する。
【００２３】
人為的または物理的な問題に起因して、コネクタインタフェースＣＩＦにおけるコネクタ３，４の抜け及び接触不良やケーブル５の断線等が生じている場合、対応の信号線はハイインピーダンス状態となり、プルアップされているので非通電状態（「１」）となるので、接続監視回路２０のＯＲ回路２１における論理演算結果も非通電状態（「１」）を示し、スレーブ側基盤２からマスタ側基盤１には、コネクタインタフェースＣＩＦの異常状態を示す非通電状態（「１」）の状態監視信号が出力される。
【００２４】
マスタ側基盤１の接続監視回路１１は、スレーブ側基盤２からの状態監視信号を正電位でプルアップする構成を採るので、通電状態（「０」）が通知されたときは、非通電状態（「１」）を出力しない。
【００２５】
つまり、マスタ側基盤１の接続監視回路１１において、スレーブ側基盤２の接続監視回路２０からの監視結果である状態監視信号（「０」または「１」）を受信し、通電状態に基づく接続監視を行う。マスタ側基盤１及びスレーブ側基盤２の電源投入時の接続監視結果が反映されていないとき、スレーブ側基盤２の電源が投入されていないときを含み、コネクタインタフェースＣＩＦのどこかに接触不良または断線等が発生している場合は、状態監視信号はハイインピーダンス状態となるので、マスタ側基盤１の接続監視回路１１の監視結果も非通電状態（「１」）となる。
【００２６】
これにより、モード切替部１０のラッチ回路１４が論理レベル「１」信号を保持し続ける結果、モード切替部１０は依然として診断モードを維持すると共に、異常状態を示す診断結果が図示省略の制御回路（ＣＰＵ）及び運用者などに通知される。
【００２７】
また、コネクタインタフェースＣＩＦにおける異常発生状態によっては、状態監視信号を伝送するためのケーブルライン及びコネクタ端子（状態監視信号線）だけが問題となり、正常に信号伝送できないことがある。この場合、接続監視回路２０のＯＲ回路２１から出力されたコネクタインタフェースＣＩＦの他の箇所の正常状態を示す論理レベル「０」の状態監視信号が接続監視回路１１によって検出できないので、ラッチ回路１４が論理レベル「１」信号を保持し続ける結果、同様に、モード切替部１０は動作モードを診断モードから運用モードに切り替えることなく、異常状態を示す診断結果をＣＰＵなどに通知する。
【００２８】
接続監視回路１１における接続監視の結果には、電源投入後に、マスタ側基盤１及びスレーブ側基盤２にコネクタ３，４を挿入するときのチャタリングの影響があり得るので、この接続監視結果の瞬時的な変動に対しては、チャタリング防止回路１２によって吸収して、モード切替部１０に通知する。
【００２９】
コネクタインタフェースＣＩＦに異常が検出されない状態、つまり通電状態を検出したとき、モード切替部１０において、ラッチ回路１４は運用状態を示す論理レベル「０」信号を保持し、スイッチング回路１３は運用モードに切り替わる。運用モードに切り替え後は、ユーザ回路からの運用信号がマスタ側基盤１からスレーブ側基盤２にコネクタインタフェースＣＩＦを介して送信される。スレーブ側基盤２はマスタ側基盤１から送信された運用信号をコネクタインタフェースＣＩＦを介して受信する。
【００３０】
なお、運用モードに移行した後、任意のタイミングでコネクタインタフェースＣＩＦを診断する要求があった場合は、診断モードへの切り替えをＣＰＵからの制御によって実施してもよい。例えば、このＣＰＵからの制御は運用者からの割込操作によってトリガされ、ＣＰＵはモード切替部１０のラッチ回路１４に診断モードを設定するための論理レベル「１」の制御信号を入力する。モード切替部１０において保持されている運用モード及び
診断モードの状態は、運用者が利用する制御盤などに可視表示することもできる。
【００３１】
上述した第１の実施の形態においては、マスタ側基盤１への電源投入を契機として、コネクタインタフェースＣＩＦの全ての運用信号線に対して通電チェックを行うことにより、コネクタインタフェースＣＩＦの接続状態を診断し、正常であるときには、運用信号線を自律的に運用状態（運用モード）に切り替えることができる。また、状態監視信号線自体をコネクタインタフェースＣＩＦの接続状態の診断対象とすることができる。
［第２の実施の形態］
以下に詳述する第２の実施の形態の接続状態診断装置においては、上述した第１の実施の形態と同一の構成及び動作の説明は部分的に省略しているが、当業者であれば、参照によって取り込むことにより理解を損ねることはない。
【００３２】
第２の実施の形態における装置構成を示す図３及び接続状態診断の手順を示す図４を併せ参照すると、この接続状態診断装置は、上述した第１の実施の形態と同様に、運用信号（ユーザ信号）を伝送するための複数の信号線（運用信号線）１Ａ，１Ｂ，１Ｃ，１Ｄを回路構成基板に配線したマスタ側基盤（第１の基盤）１と、運用信号を伝送するための複数の信号線２Ａ，２Ｂ，２Ｃ，２Ｄを回路構成基板に配線したスレーブ側基盤（第２の基盤）２とをコネクタ３，４及びケーブル５の双方（コネクタ付きケーブル）を介して接続する形態のコネクタインタフェースＣＩＦを診断対象とする。また、この接続状態診断装置はこのようなコネクタインタフェースＣＩＦを有する情報処理装置または通信装置などに診断機能部として組み込まれる。
【００３３】
各運用信号線１Ａ−１Ｄ，２Ａ−２Ｄには、運用信号の伝送方向を規定するバッファ回路が設けられている。図３に示すように、第２の実施の形態においては、運用信号線１Ａ，１Ｂ，２Ａ，２Ｂはマスタ側基盤１からスレーブ側基盤２に向かうの運用信号を伝送し、運用信号線１Ｃ，１Ｄ，２Ｃ，２Ｄはスレーブ側基盤２からマスタ側基盤１に向かう運用信号を伝送する。したがって、この第２の実施の形態の接続状態診断装置は、運用モード（運用状態）において、マスタ側基盤１からスレーブ側基盤２に伝送される運用信号だけでなく、スレーブ側基盤２からマスタ側基盤１に伝送される運用信号が存在する場合に対処するための構成を採っている。
【００３４】
この接続状態診断装置は、マスタ側基盤１に、診断・運用モード切替部１０と、接続監視回路１１と、チャタリング防止回路１２と、遅延（ｄｅｌａｙ）回路とを備える。スレーブ側基盤２には、接続監視回路２０と、チャタリング防止回路２２と、診断・運用モード切替部２３とを備える。また、コネクタインタフェースＣＩＦにおけるコネクタ３，４の対向する一対の接続端子（コネクタ端子）及びケーブルラインは、状態監視信号をスレーブ側基盤２からマスタ側基盤１に伝送するために使用される。
【００３５】
マスタ側基盤１及びスレーブ側基盤２におけるモード切替部１０，２３は、スイッチング回路１３，２４と、動作モード（診断モード及び運用モード）を保持しておくためのラッチ回路１４，２５とから構成されている。ここでは、スイッチング回路１３，２４は、スイッチ素子としてのリレーで構成しているが、双方向性の半導体スイッチなどの他のスイッチ素子で構成してもよい。
【００３６】
スレーブ側基盤２に追加されたモード切替部２３は、スレーブ側基盤２への電源投入を契機とし、ラッチ回路２５が保持している初期値（論理レベル「１」の第１の電位信号）に応じて診断モードに設定される。つまり、この初期値に応じてスイッチング回路２４のリレーが駆動され、図示のように、リレー接点が運用信号を伝送するための複数の信号線２Ａ−２Ｄを断線（遮断）状態に設定する。
【００３７】
スレーブ側基盤２における診断モード時、ユーザ回路からまたはユーザ回路への全ての運用信号は伝送されない状態となり、モード切替部２３は、正電位でプルアップ（負電位（接地電位）でプルダウン（ｐｕｌｌ−ｄｏｗｎ）してもよい）された非通電状態（論理レベル「１」の第１の電位信号）をユーザ回路に通知する。ここでは、プルアップしているだけなので、接続されるユーザ回路の運用信号の向きにはなんら影響を与えない。
【００３８】
また、スレーブ側基盤２に追加されたチャタリング防止回路２２は、コネクタインタフェースＣＩＦとしてのコネクタ付きケーブル挿入時のチャタリング除去のために用いられる。つまり、接続監視回路２０における接続監視の結果には、電源投入後に、マスタ側基盤１及びスレーブ側基盤２にコネクタ３，４を挿入するときのチャタリングの影響があり得るので、この接続監視結果の瞬時的な変動に対しては、チャタリング防止回路２２によって吸収して、モード切替部２３に通知する。
【００３９】
マスタ側基盤１に配置されたチャタリング防止回路１２の後段の遅延回路１５は次の機能を果たす。スレーブ側基盤２における接続監視回路２０の監視結果がマスタ側基盤１におけるモード切替部１０に通知される迄の処理時間に比較して、接続監視回路２０の監視結果がモード切替部２３に通知される迄の処理時間が長くなってしまう可能性がある。モード切替部１０のモード切り替えがモード切替部２３のモード切り替えより早く完了すると、マスタ側基盤１からのユーザ信号がスレーブ側基盤２に伝送されるので、接続監視回路２０の接続監視の結果に影響を与える。このために、モード切替部２３の動作モードが診断モードのままになってしまう現象を防止する必要がある。したがって、遅延回路１５は、接続監視回路２０の監視結果がモード切替部２３に通知される時間を確保する、厳密には時間を長く調整するために配置する。通常は、コネクタ付きケーブルを介して状態監視信号を受信するマスタ側基盤１のモード切り替えの処理時間の方が長くなるので、この条件下では必須ではない。
【００４０】
マスタ側基盤１とスレーブ側基盤２とをコネクタ付きケーブルで接続した状態で電源投入した場合、マスタ側基盤１のモード切替部１０は診断モードに設定されているので、運用信号線１Ａ−１Ｄに診断信号として通電状態（「０」）が出力され、この診断信号がコネクタインタフェースＣＩＦを介してスレーブ側基盤２の接続監視回路２０に通知される。この診断信号が正常に通知されるまでは、ＯＲ回路２１から出力される状態監視信号は非通電状態（「１」）を示している。
【００４１】
スレーブ側基盤２における接続監視回路２０は、マスタ側基盤１からの診断信号（通電状態）を受信し、コネクタインタフェースＣＩＦの異常がなければ、正常状態に対応する通電状態（「０」）をチャタリング防止回路２２及びマスタ側基盤１への状態監視信号線に出力する。なお、コネクタインタフェースＣＩＦに異常があるときは、非通電状態（「１」）が出力される。
【００４２】
接続監視回路２０から出力される通電状態及び非通電状態に対応する論理レベル「０」の第２の電位信号及び論理レベル「１」の第１の電位信号は、チャタリング防止回路２２においてチャタリング除去後に、モード切替部２３のラッチ回路２５に入力される。
【００４３】
スレーブ側基盤２におけるモード切替部２３のモード切り替えは、電源投入後、診断モードに設定されており、運用信号線２Ａ−２Ｄは断線状態で非通電状態となっている。しかし、コネクタインタフェースＣＩＦの正常が通知されることにより、ラッチ回路２５の出力（「０」）に応答するスイッチング回路２４の動作に応じて運用モードに切り替わり、リレー接点を通してユーザ回路の運用信号線２Ａ−２ＤとコネクタインタフェースＣＩＦとの接続がなされる。コネクタインタフェースＣＩＦが異常であるときは、モード切替部２３は診断モードを維持する。
【００４４】
一方、接続監視回路２０から出力される通電状態及び非通電状態に対応する論理レベル「０」の第２の電位信号及び論理レベル「１」の第１の電位信号は、コネクタインタフェースＣＩＦを介して、状態監視信号としてマスタ側基盤１に伝送される。この状態監視信号は、接続監視回路１１及びチャタリング防止回路１２を介して遅延回路１５に伝送される。状態監視信号は、遅延回路１５において所定時間の遅延を施され、スレーブ側基盤２のモード切替完了後に、モード切替部１０に接続監視の結果として通知される。
【００４５】
コネクタインタフェースＣＩＦの接続状態が正常であれば、モード切替部１０は診断モードから運用モードに切り替わり、ユーザ回路の運用信号線１Ａ−１ＤとコネクタインタフェースＣＩＦとの接続がなされる。運用モードに切り替わった後は、ユーザ回路からの運用信号がマスタ側基盤１からスレーブ側基盤２にコネクタインタフェースＣＩＦを介して送信される。スレーブ側基盤２はマスタ側基盤１から送信された運用信号をコネクタインタフェースＣＩＦを介して受信する。
【００４６】
上述した第２の実施の形態においては、マスタ側基盤１に遅延回路１５を追加し、スレーブ側基盤２にチャタリング防止回路２２及びモード切替部２３を追加する構成を採ることにより、第１の実施の形態の接続状態診断装置の有する効果を保持しつつ、運用信号の伝送方向に拘束されない接続状態診断を実施することができる。また、マスタ側基盤１及びスレーブ側基盤２の診断機能部を画一的な回路構成で実現することができる。
【００４７】
［変形例］
上述した各実施の形態における処理はコンピュータで実行可能なプログラムとして提供され、ＣＤ−ＲＯＭやフレキシブルディスクなどの記録媒体、さらには通信回線を経て提供可能である。
【００４８】
また、上述した各実施の形態における各処理はその任意の複数または全てを選択し組合せて実施することもできる。
【００４９】
［その他］
上述した各実施の形態及び変形例に関し、更に以下の付記を開示する。
【００５０】
（付記１）運用信号を伝送するための複数の第１の運用信号線を配線した第１の基盤と、前記運用信号を伝送するための複数の第２の運用信号線を配線した第２の基盤とを接続するコネクタインタフェースを診断対象とする接続状態診断装置であって；
前記第１の基盤１への電源投入を契機として、前記複数の第１の運用信号線のそれぞれに診断電位信号を自律的に出力する手段と；
前記コネクタインタフェースを通して前記複数の第２の運用信号線にそれぞれ伝送される前記診断電位信号を全て受信したときは、前記コネクタインタフェースの正常接続状態を示す第１の状態監視信号を出力し、前記診断電位信号の少なくとも１つを受信しないときは、前記コネクタインタフェースの異常接続状態を示す第２の状態監視信号を出力する手段と；
前記第１の状態監視信号及び前記第２の状態監視信号のいずれかを受信する手段と；
前記第１の状態監視信号が受信されたときは、前記複数の第１の運用信号線への前記診断電位信号の出力を停止制御して、自律的に診断モードから運用モードに切替設定し、前記第２の状態監視信号が受信されたときは、前記複数の第１の運用信号線への前記診断電位信号の出力を維持制御する手段と；
を備える接続状態診断装置。
【００５１】
（付記２）前記第１の状態監視信号及び前記第２の状態監視信号は前記コネクタインタ
フェースを通して伝送され、前記第１の状態監視信号及び前記第２の状態監視信号のいずれも受信されないときは、前記複数の第１の運用信号線への前記診断電位信号の出力が維持制御される付記１記載の接続状態診断装置。
【００５２】
（付記３）前記第１の運用信号線及び前記第２の運用信号線は、前記第１の基盤から前記第２の基盤に向かう前記運用信号を一方向に伝送する付記１記載の接続状態診断装置。
【００５３】
（付記４）前記第１の運用信号線及び前記第２の運用信号線は、前記第１の基盤及び前記第２の基盤間の前記運用信号を双方向に伝送する付記１記載の接続状態診断装置。
【００５４】
（付記５）前記コネクタインタフェースにおける少なくともコネクタの抜け及び接触不良を診断対象とする付記１記載の接続状態診断装置。
【００５５】
（付記６）前記第２の基盤への電源投入を契機として、前記複数の第２の運用信号線の全てを自律的に断線状態とし、ユーザ回路側の前記複数の第２の運用信号線を予め定めた電位にプルアップまたはプルダウンして前記診断モードに設定する手段と；
前記第１の状態監視信号を受信したときは、前記第２の運用信号線の前記断線状態を解除制御して、自律的に前記診断モードから前記運用モードに切替設定し、前記第２の状態監視信号を受信したときは、前記診断モードの設定を維持制御する手段と；
を更に備える付記１または４記載の接続状態診断装置。
【００５６】
（付記７）運用信号を伝送するための複数の第１の運用信号線を配線した第１の基盤と、前記運用信号を伝送するための複数の第２の運用信号線を配線した第２の基盤とを接続するコネクタインタフェースを診断対象とする接続状態診断装置が、
前記第１の基盤１への電源投入を契機として、前記複数の第１の運用信号線のそれぞれに診断電位信号を自律的に出力するステップと；
前記コネクタインタフェースを通して前記複数の第２の運用信号線にそれぞれ伝送される前記診断電位信号を全て受信したときは、前記コネクタインタフェースの正常接続状態を示す第１の状態監視信号を出力し、前記診断電位信号の少なくとも１つを受信しないときは、前記コネクタインタフェースの異常接続状態を示す第２の状態監視信号を出力するステップと；
前記第１の状態監視信号及び前記第２の状態監視信号のいずれかを受信するステップと；
前記第１の状態監視信号が受信されたときは、前記複数の第１の運用信号線への前記診断電位信号の出力を停止制御して、自律的に診断モードから運用モードに切替設定し、前記第２の状態監視信号が受信されたときは、前記複数の第１の運用信号線への前記診断電位信号の出力を維持制御するステップと；
を実行する接続状態診断方法。
【００５７】
（付記８）前記第１の状態監視信号及び前記第２の状態監視信号は前記コネクタインタフェースを通して伝送され、前記第１の状態監視信号及び前記第２の状態監視信号のいずれも受信されないときは、前記複数の第１の運用信号線への前記診断電位信号の出力が維持制御される付記７記載の接続状態診断方法。
【００５８】
（付記９）前記第１の運用信号線及び前記第２の運用信号線は、前記第１の基盤から前記第２の基盤に向かう前記運用信号を一方向に伝送する付記７記載の接続状態診断方法。
【００５９】
（付記１０）前記第１の運用信号線及び前記第２の運用信号線は、前記第１の基盤及び前記第２の基盤間の前記運用信号を双方向に伝送する付記７記載の接続状態診断方法。
【００６０】
（付記１１）前記コネクタインタフェースにおける少なくともコネクタの抜け及び接触不良を診断対象とする付記７記載の接続状態診断方法。
【００６１】
（付記１２）前記第２の基盤への電源投入を契機として、前記複数の第２の運用信号線の全てを自律的に断線状態とし、ユーザ回路側の前記複数の第２の運用信号線を予め定めた電位にプルアップまたはプルダウンして前記診断モードに設定するステップと；
前記第１の状態監視信号を受信したときは、前記第２の運用信号線の前記断線状態を解除制御して、自律的に前記診断モードから前記運用モードに切替設定し、前記第２の状態監視信号を受信したときは、前記診断モードの設定を維持制御するステップと；
を更に実行する付記７または１０記載の接続状態診断方法。
【００６２】
（付記１３）運用信号を伝送するための複数の第１の運用信号線を配線した第１の基盤と、前記運用信号を伝送するための複数の第２の運用信号線を配線した第２の基盤とを接続するコネクタインタフェースを診断対象とする接続状態診断装置に、
前記第１の基盤１への電源投入を契機として、前記複数の第１の運用信号線のそれぞれに診断電位信号を自律的に出力するステップと；
前記コネクタインタフェースを通して前記複数の第２の運用信号線にそれぞれ伝送される前記診断電位信号を全て受信したときは、前記コネクタインタフェースの正常接続状態を示す第１の状態監視信号を出力し、前記診断電位信号の少なくとも１つを受信しないときは、前記コネクタインタフェースの異常接続状態を示す第２の状態監視信号を出力するステップと；
前記第１の状態監視信号及び前記第２の状態監視信号のいずれかを受信するステップと；
前記第１の状態監視信号が受信されたときは、前記複数の第１の運用信号線への前記診断電位信号の出力を停止制御して、自律的に診断モードから運用モードに切替設定し、前記第２の状態監視信号が受信されたときは、前記複数の第１の運用信号線への前記診断電位信号の出力を維持制御するステップと；
を実行させる接続状態診断プログラム。
【図面の簡単な説明】
【００６３】
【図１】第１の実施の形態の接続状態診断装置の構成を示すブロック図。
【図２】第１の実施の形態の接続状態診断手順を示す図。
【図３】第２の実施の形態の接続状態診断装置の構成を示すブロック図。
【図４】第２の実施の形態の接続状態診断手順を示す図。
【符号の説明】
【００６４】
１          マスタ側基盤
２          スレーブ側基盤
１Ａ−１Ｄ  運用信号線
２Ａ−２Ｄ  運用信号線
ＣＩＦ      コネクタインタフェース
３，４      コネクタ
５          ケーブル
１０，２３  モード切替部
１１，２０  接続監視回路
１２，２２  チャタリング防止回路
１３，２４  スイッチング回路
１４，２５  ラッチ回路
１５        遅延回路
２１        ＯＲ回路
【図１】
2010055384.tif 000003
【図２】
2010055384.tif 000004
【図３】
2010055384.tif 000005
【図４】
2010055384.tif 000006